(57)【要約】【課題】本発明はデジタルビデオレコーダー（ＤＶＲ）に関することで、特にＶｏＩＰ方式のインターネットホンを利用した音声通話機能が搭載されてアラーム発生状況時に遠隔地の中央管制センターとＤＶＲ間またはお互いに隔たっているＤＶＲとＤＶＲ間にインターネット網を通じて緊急音声通話サービスの提供技術に関する。【解決手段】本発明は現場のＤＶＲでアラームが発生した場合、別途の一般の電話機がなくてもＤＶＲ側インターネットホンの送受話器を持つと、既設定されている遠隔地のリモートワークステーションのインターネットホンを即時呼び出して通話することができて、また反対方向にアラーム発生時に遠隔地リモートワークステーション側インターネットホンの送受話器を持つと、現場のＤＶＲ側インターネットホンを即時に呼び出して通話することができる。また、本発明はネットワークまたはインターネットに連結されているお互いに異なる現場のＤＶＲ間でインターネットホンを利用してお互いに音声通話ができるようにする。【選択図】図１
2004282766.tif 000002
【特許請求の範囲】
【請求項１】
ネットワークまたはインターネットを通じて遠隔地にお互い接続されている複数個のＤＶＲの間またはリモートワークステーションとの間における音声電話通話のために、前記ＤＶＲまたはリモートワークステーションはウィンドウズ（登録商標）またはリナックス運営体制を搭載し、前記ＤＶＲまたはリモートワークステーションのＵＳＢポートにはインターネットホンが接続されていて、前記インターネットホンのスピーカとマイクロホンは前記ウィンドウズ（登録商標）またはリナックスプログラムのＵＳＢサウンドカードを介してシステムにインターフェースされてオーディオ信号がＶｏＩＰ方式でお互いに電送されて、前記インターネットホンのキーパッド入力及び送受話器操作等の作動が前記ＤＶＲに応用インターフェースされることを特徴とする、インターネットホンが装着されるＤＶＲ。
【請求項２】
第１項において、前記ＤＶＲに接続されたセンサーが非常状況を感知してアラームイベントを前記リモートワークステーションに自動通報した場合、前記リモートワークステーションのインターネットホンの送受話器がピックアップ（pick-up）されると、前記アラームイベントが電送されたＤＶＲのＩＰアドレスにすぐ接続して該当ＤＶＲのインターネットホンを呼び出すことで現場の運営者と音声通話を進行するようにすることを特徴とする、インターネットホンが装着されるＤＶＲ。
【請求項３】
第１項において、前記ＤＶＲに接続されたセンサーが非常状況を感知してアラームイベントを前記リモートワークステーションに自動通報した場合、前記ＤＶＲのインターネットホンの送受話器がピックアップ（pick-up）されると、既設定されているリモートワークステーションのＩＰアドレスにすぐ接続して該当リモートワークステーションのインターネットホンを呼び出すことで音声通話を進行するようにすることを特徴とする、インターネットホンが装着されるＤＶＲ。
【請求項４】
第１項において、前記ＤＶＲのインターネットホンの送受話器がピックアップ（pick-up）されると、前記ＤＶＲのモニタにネットワークまたはインターネットに連結することができるＤＶＲの住所録または別途のＩＰ入力ウィンドーが示されて、運営者は思う住所を選択したり別個のＩＰアドレスを入力すると、連結しようとする相手側ＤＶＲのインターネットホンを呼び出して音声通話を連結するようにプログラムされるのを特徴とする、インターネットホンが装着されるＤＶＲ。
【請求項５】
ネットワークまたはインターネットを通じて接続可能なＤＶＲとリモートワークステーションの間に前記ＤＶＲとリモートワークステーションのＵＳＢポート各々に連結されたインターネットホンを利用してお互いに遠隔地で音声通話をする方法にあって、
（ａ）前記ＤＶＲに各種イベントが発生すれば、前記イベントは前記リモートワークステーションに自動通報されて前記イベントを通報したＤＶＲのＩＰアドレスなどの識別情報が前記リモートワークステーションに記憶貯蔵される段階；及び
（ｂ）前記リモートワークステーションのインターネットホンの送受話器がピックアップ（pick-up）されると、その時まで最近通報されるイベントが一個のみの場合には該当ＤＶＲのインターネットホンをすぐ呼び出して音声通話を試みて、最近通報されるイベントが複数個である場合には時間順に各イベントなどをリストして見せてくれた後にその中一つが選択されると、該当ＩＰアドレスのＤＶＲのインターネットホンを呼び出して音声通話を試みる段階
を含むＤＶＲとリモートワークステーションのインターネットホンの接続方法。
【請求項６】
ネットワークまたはインターネットを通じて接続可能な複数個のＤＶＲ各々のＵＳＢポートに連結されたインターネットホンを利用してお互いに遠隔地で音声通話をする方法にあって、
発信者側のＤＶＲの送受話器がピックアップ（pick-up）されると、発信者側ＤＶＲモニタ画面に住所録またはＩＰアドレス入力ウィンドーが示されて、これに、発信者は思う住所を選択したり別個のＩＰアドレスを入力する段階；及び
着信者側インターネットホンで着信音が鳴り、これに送受話器がピックアップ（pick-up）されると、着信者と音声通話接続される段階
を含むＤＶＲのインターネットホンの接続方法。
【請求項７】
第５項において、前記段階（ｂ）は前記イベントが発生して、前記リモートワークステーションに通報された後に、既設定された時間がすぎた場合にはイベントが全然ない、即ち非常状況ではない一般状況であると見なして、ＤＶＲまたはリモートワークステーションのインターネットホンの送受話器がピックアップ（pick-up）されても、直ぐ接続されない代わりに住所録とＩＰアドレス入力ウィンドーが示されて通話を連結する場所を選択することができる段階を含むＤＶＲとリモートワークステーションのインターネットホンの接続方法。
【発明の詳細な説明】
【技術分野】
【０００１】
本発明はデジタルビデオレコーダー（ＤＶＲ；digital video recorder、デジタル映像貯蔵装置）に関することで、特にＶｏＩＰ（Voice over Internet Protocol）方式のインターネットホン（Internet Phone）（IP電話）を利用した音声通話機能が搭載されてアラーム発生状況時に遠隔地の中央管制センターとＤＶＲ間にまたはお互い隔たっているＤＶＲとＤＶＲ間にインターネット網を通じて緊急音声通話サービスの提供技術に関する。
【背景技術】
【０００２】
公共機関、金融窓口またはその他安全が要求される場所に閉鎖回路テレビジョンシステムを設置して複数個のビデオカメラが撮影する映像データを記録してモニタする保安監視用映像貯蔵装置が使われている。しかしながら、撮影される映像データを効率的に貯蔵して必要時に高画質の映像を再生復元することができるデジタル信号処理方式のＤＶＲの利用が増加している。ＤＶＲはアナログ方式で撮影される映像データをデジタル信号で変換して、エムぺグ（ＭＰＥＧ；moving picture expert group）形式等の動映像（moving pictures）圧縮及び復元過程を遂行することで、大量の映像データを効率的に録画及び再生する。
【０００３】
また、ＤＶＲに複数のビデオカメラと一緒に監視センサーまたはアラーム（alarm）情報装置を一緒に設置して、非常状況で特定センサーに対応して予め決められるビデオカメラを連動させることで、平常時より高速に映像を録画するようにすることもできる。
【０００４】
一方、従来技術によるデジタルビデオレコーダー装置は出入または盗難のような状況をセンサー等を通じて感知または監視しながら、各種非常状況のイベントが発生したら、アラーム出力を利用して警報音を発生させたり、ネットワークを通じて中央管制センター（リモートワークステーション）に通報される。この時に、センサーに連動させているビデオカメラは高速録画のためのモードに転換されて映像を録画するようにすることができる。即ち、秒当たりのフレーム数を増加させることができる。
【０００５】
ところで、従来技術の場合に非常事態が発生する場合、中央管制センターでは該当ローカルＤＶＲ側の管理者と通話するためには一般の電話機を使用して一般電話網を通じて通話接続を試みなければいけない不便さがある。さらに、非常事態が感知されてアラームが鳴った後に該当サイトでの電話通話のために電話番号を検索して、ダイアルするが、時間がかかるため電話通話をした際に既に状況が終了してしまう場合も頻りに発生する。
【発明の開示】
【発明が解決しようとする課題】
【０００６】
従って、本発明の第一目的はデジタルビデオレコーダーとネットワークまたはインターネットに接続可能な遠隔地のリモートワークステーションの間に、非常事態発生によってアラームが発生した時、殆んどリアルタイムに緊急音声通話を遂行することができる効率的な音声通話システムが具備されるデジタルビデオレコーダーを提供することにある。
【０００７】
本発明の第二目的は前記第一目的に付加して、ネットワークまたはインターネットで連結可能な複数個のデジタルビデオレコーダーなどがお互いにその他の地域に設けられている時、一般の電話機なしにお互いに音声通話を遂行することができるインターネットホン音声通話システムが具備されるデジタルビデオレコーダーを提供することにある。
【課題を解決するための手段】
【０００８】
前記目的を達成するため、本発明はネットワークまたはインターネットを通じて遠隔地にお互いに接続されている複数個のデジタルビデオレコーダ（ＤＶＲ；以下「ＤＶＲ」と称する）の間またはリモートワークステーションとの間における音声電話通話のために、前記デジタルビデオレコーダーまたはリモートワークステーションはウィンドウズ（登録商標）またはリナックス運営体制（ＯＳ）を搭載して、前記ＤＶＲまたはリモートワークステーションのＵＳＢポートにはインターネットホンが接続されていて、前記インターネットホンのスピーカとマイクロホンは前記ウィンドウズ（登録商標）またはリナックスプログラムのＵＳＢサウンドカードを介してシステムにインターフェース（接続）されてオーディオ信号がＶｏＩＰ方式にお互いに電送されて前記インターネットホンのキーパッド入力及び送受話器操作等の作動が前記ＤＶＲに応用インターフェース（入力）されることを特徴とするインターネットホンが装着されるＤＶＲを提供する。
【発明を実施するための最良の形態】
【０００９】
以下では、添付図面の図１ないし図４を参照して本発明によるインターネット音声通話（ＶｏＩＰ）機能が具備されるＤＶＲ装置の良好な実施例を詳しく説明する。本発明はパソコン（ＰＣ；personal computer）基盤のＤＶＲのＵＳＢポート（USB port）にインターネットホンを連結することで遠隔地のＤＶＲの間の音声通話はもちろん、遠隔地のリモートワークステーションとＤＶＲの間で音声通話ができる。
【００１０】
本発明はパソコン（ＰＣ）基盤のＤＶＲに適用されることで、パソコン基盤のＤＶＲの運用体制（ＯＳ）がマイクロソフト（Microsoft）社のウィンドウズ（登録商標）（Windows（登録商標））または公開されているリナックス（Linux）運用体制の場合に複数個のＤＶＲ各々のＵＳＢポートに連結されるインターネットホンを通じてお互いに音声通話ができるようになる。
【００１１】
図１は本発明によるＤＶＲシステムの構成を概略的に示す図面である。本発明の良好な実施例として、ＤＶＲに連結されるセンサー(10)に異常が感知された場合、ＤＶＲ(30)にアラームが鳴るようになって前記センサー(10)に連動されるカメラ(40)の録画が活性化されたり既に録画中の場合録画速度を一時的に高めるようになる。
【００１２】
図１に図示されたＤＶＲ(30)は従来に使われる一般的なＤＶＲが使われることができて、ビデオカメラ(40)で撮影された映像信号がビデオカメラ(40)内部で適切に映像処理された後、内部のビデオエンコーダーによってアナログ映像信号に変換されてケーブルを通じてＤＶＲ(30)に入力される。そして、ＤＶＲ(30)に入力されたアナログ映像信号は内部のビデオディコーダ（video decorder）によってアナログ−デジタル変換（Analog-Digital Conversion；ＡＤＣ）されて、デジタル方式で映像を圧縮する映像圧縮機（video compressor）によって圧縮された後にハードディスクに貯蔵される。また、図１に図示されたリモートワークステーション(60)は遠隔での監視のためのコンピュータとして一般のパーソナルコンピューターが使われることができる。ふつう遠隔のワークステーション(60)でカメラが録画した映像を見ながら監視するようになる。
【００１３】
例えば、アラームセンサーに連動されるビデオカメラ(40)は平素は秒当たり１〜８フレーム程度の比較的低い録画速度で映像を録画し、アラームが鳴ったら秒当たり３０フレーム程度の最高速で録画するようにすることができる。この時に、ローカルＤＶＲはネットワークに連結される遠隔地のリモートワークステーション(60)に非常事態発生というイベント（event）情報を自動通報（Emergency Notification）する機能を実行する。ここで、遠隔地のワークステーションは中央管制センターまたはコントロール室と見なすことができる。
【００１４】
即ち、異常が感知されたセンサー(10)に連動されるビデオカメラ(40)が録画する高速の映像を遠隔地のリモートワークステーション(60)にアラームイベントとともに自動電送して画面にディスプレーする。この時に、アラーム自動通報とともに映像がリモートワークステーションに電送されると、遠隔地リモートワークステーションで動作中のソフトウェアプログラムは非常通報を電送するローカルＤＶＲの識別情報が分かっているので、遠隔地リモートワークステーション(60)に連結されるインターネットホン(70)の送受話器を持つと、すぐ該当デジタルビデオレコーダーのインターネットホン(20)に通話発信音が鳴るようにすることができる。
【００１５】
即ち、従来技術の場合のように中央管制センターのリモートワークステーションで監視する運営者が非常事態を感知した後、状況把握のために該当ＤＶＲが設けられているサイトに電話をかけるためにすべてのキーパッドのダイアル番号を押す代わりに、本発明はパソコン基盤のＤＶＲに既に設けられるウィンドウズ（登録商標）またはリナックスプログラムがインターネット音声通話（ＶｏＩＰ）を支援するので遅滞なく両側で音声通話ができるようになる。
【００１６】
また、本発明の望ましい実施例として、ＤＶＲ側でもアラーム発生時にインタネット電話受話器(20)を持つと、予め設定されている遠隔地のリモートワークステーションのＩＰアドレス（IP Address）に別途の住所入力なしに、すぐ緊急呼び出しになるように構成することができる。
一方、遠隔地リモートワークステーションのプログラムはアラームイベントを電送するローカルＤＶＲのＩＰアドレスを予め分かっているので、リモートワークステーション(60)の側のインターネットホン(70)の送受話器を持つと、すぐ事故発生現場のＤＶＲのインターネットホン(20)を呼び出すようにすることができる。
【００１７】
図２は本発明の良好な実施例によって、ＤＶＲの音声通話接続が起こる過程を示す図面である。図２を参照すれば、ＤＶＲ(30)のセンサー(10)に異常が感知されるとアラームが鳴るようになって、連動されたビデオカメラは予め先定される動作を遂行するようになる（段階  S100）。続いて、ＤＶＲ(30)はネットワーク(50)を通じてリモートワークステーション(60)にアラームイベント発生を自動通報する（段階  S110）。
【００１８】
その後で、イベント発生の通報を受けるリモートワークステーション(60)は現在アラームがかかるＤＶＲリストを貯蔵する（段階  S120）。非常状況発生を分かるようになるリモートワークステーションの運営者は現場のＤＶＲの運営者に連絡をとるために、ＵＳＢポートを通じて連結されているインターネットホンの送受話器(30)を持つようになる（段階  S130）。このように送受話器を持つ作動はＵＳＢポートを通じてＤＶＲに信号で伝達されるのでプログラムがこれを感知することができる。この時に、リモートワークステーションに通報されるアラームイベントの個数が一個である場合にはインターネットホンの送受話器を持つのと同時に直ぐ該当ＤＶＲ(30)のインターネットホン(20)を自動的に呼び出す（段階  S150）。
【００１９】
反面に、リモートワークステーションに通報されているアラームイベントが二個以上である場合には、リモートワークステーションのモニタにアラームリストを順序どおりリストさせて、運営者がマウスとかキーボードを利用して選択すると該当項目のＤＶＲに連結しているインターネットホンを自動的に呼び出すようにプログラムされることができる（段階  S160）。
この時に、従来技術と違って、キーボタンをすべて押して電話をかける代わりに、モニタに現われる複数のＤＶＲの中の一つを選択するから速やかに電話呼び出しができる。
【００２０】
図３は本発明の良好な実施例によるＤＶＲとＤＶＲ間に音声通話を実行する方法を示す図面である。図３を参照すれば、発信者側ＤＶＲに連結されるインターネットホンの送受話器を持つと（段階  S200）、発信者側ＤＶＲのモニタにはネットワークまたはインターネットを通じて接続可能な複数のＤＶＲなどのＩＰ入力ウィンドーまたは住所録が示される（段階  S210）。この時に、発信者は思うＤＶＲを住所録で選択したり、別途のＩＰ住所を入力することができる。その後で、発信者側ＤＶＲが着信者側ＤＶＲを呼び出して着信者側ＤＶＲのインターネット電話器には“りんりん”のような信号音が鳴るようになって（段階  S220）、続いて着信者側の運営者が送受話器を持つと通話がかかる（段階  S230）。
【００２１】
図４は本発明によってＤＶＲに装着されるインターネットホンの構成を示す図面である。図４を参照すれば、本発明によるＤＶＲインターネットホンはキーパッド(34)、マイクロホン(32)、スピーカ(33)で構成されていて、ＤＶＲ(30)のＵＳＢポートに連結される。この時に、マイクロホン(32)とスピーカ(33)をインターフェースするＵＳＢサウンドカードインターフェースはマイクロソフト社のウィンドウズ（登録商標）運営体制またはリナックス運営体制で基本提供される。一方、送受話器を持つ、キーパッドボタンを押すこと等の動作信号をインターフェース（入力）するためにインターネットホン製造業が提供するデバイスドライバの応用インターフェース（ＡＰＩ）を利用する。
【００２２】
一方、ＤＶＲに接続されるインターネットホンを利用して音声通話をするため、オーディオ入出力データはＨ．３２３及びＧ．７２３．１標準プロトコルにネットワークまたはインターネット上でＶｏＩＰ（Voice over Internet Protocol）方式に電送することができる。この時に、ソフトウェア的にマイクロソフト社が提供するネットミーティングＲＤＫ（NetMeeting RDK）を利用したり、リナックスの公開されたＨ．３２３ソースコード（source code）を利用してＶｏＩＰを容易に具現することができる。
【００２３】
前述した内容は後述する発明の特許請求範囲をよりよく理解することができるように本発明の特徴と技術的長所を多少幅広く概設した。本発明の特許請求範囲を構成する附加的な特徴と長所などは以下に詳述した。開示された本発明の概念と特定実施例は本発明と類似目的を行うための他の構造の設計または修正の基本として手早く使用できることが当該技術分野における熟練者等により認識されるべきてある。 
【００２４】
また、本発明で開示された発明の概念と実施例は、本発明の同一目的を遂行するため、異なる構造に修正または設計するための基礎として、当該技術分野の熟練者により使用されるであろう。更に、当該技術分野の熟練者によるそのような修正または変更された等価構造は特許請求範囲において記述した発明の思想や範囲をはずれない限度内で多様な変化、置換および変更は可能である。 
【００２５】
以上のように、本発明は現場のＤＶＲでアラームが発生した場合、別途の一般の電話機がなくてもＤＶＲ側インターネットホンの送受話器を持つと、既設定されている遠隔地のリモートワークステーションのインターネットホンを即時に呼び出して通話することができて、また反対方向にアラーム発生時に遠隔地リモートワークステーション側インターネットホンの送受話器を持つと、現場のＤＶＲ側インターネットホンを即時に呼び出して通話することができる長所がある。また、本発明はネットワークまたはインターネットに連結されているお互い異なる現場のＤＶＲ間でインターネットホンを利用してお互いに音声通話ができるようにする。
【図面の簡単な説明】
【００２６】
【図１】図１は本発明によるＤＶＲシステムの構成を概略的に示す図面。
【図２】図２は本発明の良好な実施例によるＤＶＲの音声通話接続が起こる過程を示す図面。
【図３】図３は本発明の良好な実施例によるＤＶＲとＤＶＲ間に音声通話を実行する方法を示す図面。
【図４】図４は本発明によってＤＶＲに装着されるインターネットホンの構成を示す図面。
【符号の説明】
【００２７】
２０    インターネットホン
３０    ＤＶＲ
５０    ネットワーク
６０    リモートワークステーション
７０    インターネットホン
【図１】
2004282766.tif 000003
【図２】
2004282766.tif 000004
【図３】
2004282766.tif 000005
【図４】
2004282766.tif 000006